(57)【要約】      （修正有）【課題】新曲や自作の楽曲に対して、伴奏音声と歌唱音声を同期した楽譜データを容易に作成することができるカラオケコンテンツ作成システムを提供する。【解決手段】カラオケコンテンツ作成システムは、カラオケ伴奏・ガイドメロディ・歌詞表示・塗表示を含む専用仕様のカラオケコンテンツデータを作成することができるアプリケーションプログラムと、専用カラオケ装置に音声を入力する音声入力手段と、入力された音声信号の音程を検出するピッチ検出手段と、音程データを含む曲データを記憶する記憶手段と、を備える。伴奏の音声データと同期して歌唱された音声入力手段より入力された音声をピッチ検出手段により音程を検出し、アプリケーションプログラムで読み込んだ際、伴奏の音声データと同期した状態で検出した音程データを保存し、アプリケーションプログラムの素材として使用できる楽譜データを提供する。【選択図】図２
2019109324.tif 000002
【特許請求の範囲】
【請求項１】
ＭＰ３に代表される所定の規格に準拠した伴奏の音声データと、
ＭＩＤＩコードに代表される所定の規格に準拠したコードで表現されたカラオケメロデ
ィの楽譜データと
テキストファイル等の所定の規格に準拠した形式の歌詞データを入力して、
歌詞データを所定のタイミングで同期して、少なくとも、カラオケ伴奏・ガイドメロディ
・歌詞表示・塗表示を含む専用仕様のカラオケコンテンツデータを作成することができる
アプリケーションプログラムを提供し、
利用者が汎用仕様のデータから、専用仕様のカラオケコンテンツを作成し、専用カラオケ
装置で再生することができるネットワークカラオケシステムにおいて、
専用カラオケ装置に
音声を入力する音声入力手段と、
入力された音声信号の音程を検出するピッチ検出手段と、
音程データを含む曲データを記憶する記憶手段と、
を備え、
伴奏の音声データと同期して歌唱された前記音声入力手段より入力された音声を、前記ピ
ッチ検出手段により音程を検出し、前記アプリケーションプログラムで読み込んだ際、伴奏の音声データと同期した状態で前記検出した音程データを保存し、
前記アプリケーションプログラムの素材として使用できる楽譜データとして利用者に提供できることを特徴とするカラオケシステム。
【発明の詳細な説明】
【技術分野】
【０００１】
本発明は、音声入力をもとにカラオケデータを生成する技術に関する。
【背景技術】
【０００２】
カラオケを楽しむ人々が増えるに従い、よりマニアックな楽曲や、自作の楽曲をカラオ
ケ店で歌いたいという層も出てきている。
【０００３】
しかし、カラオケの制作はメーカーが専用の機器で行うことが多く、利用者が簡単なＰ
Ｃ環境で行うことは難しい。
世の中には伴奏音を生成するツール「First Song Editor」（非特許文献１）、やＭＩ
ＤＩに歌詞を付加する仕様「SMF with Lyrics」などがあるが、これらはＰＣ環境で動作
する物であり、市中のカラオケ店にある専用機では再生できない。一方、専用機で再生す
るカラオケを特許文献１のようなメーカー提供のツールにより制作する場合、楽譜データ
であるＭＩＤＩファイルが必要である。
【０００４】
ＭＩＤＩは楽譜データを記述する規格として広く普及しているが、音楽の素人にとって
は、ＭＩＤＩデータではなく音声その物の方が親しみやすい為、音声を入力してＭＩＤＩ
データを作成する出願は各社よりなされている。
（特開平１０−２４７０９９号公報、特開２００２−２７８５４４号公報、特開２０１１
−１７９８７号公報など）
【先行技術文献】
【特許文献】
【０００５】
【特許文献１】特願２０１３−２５０８７７号公報
【非特許文献】
【０００６】
【非特許文献１】簡単ＭＩＤＩ入力ツール First Song Editor  http://www.asahi-n    et.or.jp/~hb9t-ktd/music/Japan/Soft/FirstSong.html
【発明の概要】
【発明が解決しようとする課題】
【０００７】
非特許文献１のFirst Song Editorは、メロディとコード進行を入力すると、伴奏付き
のＭＩＤＩを生成するツールで、歌詞を入力して、カラオケ用のＸＦ形式のＭＩＤＩファ
イルを作成することもでき、ＰＣ用のカラオケＭＩＤＩを作って演奏させることができる
というものである。
【０００８】
特許文献１は、本発明の発明者が先に出願したもので、利用者が作成した楽曲を、カラ
オケ店に設置してある専用カラオケ装置で再生するため、歌詞情報のテキストデータや、
メロディ・伴奏が記録された汎用フォーマットの音声データを組み合わせ専用フォーマッ
トのカラオケ楽曲ファイルを生成するアプリケーションプログラムと、生成されたカラオ
ケ楽曲ファイルをネットワーク内のサーバにアップロードし、専用カラオケ装置にダウン
ロードする環境を提供する。
【０００９】
特許文献１の特許請求の範囲は、専用仕様のカラオケコンテンツを再生する専用カラオ
ケ装置と利用者の作成したコンテンツをネットワーク内のサーバにアップロードして、カ
ラオケ専用機でダウンロードできるネットワーク環境を有するネットワークカラオケシス
テムにおいて、
ＭＰ３に代表される所定の規格に準拠した伴奏の音声データと、
ＭＩＤＩコードに代表される所定の規格に準拠したコードで表現されたカラオケメロデ
ィの楽譜データと
テキストファイル等の所定の規格に準拠した形式の歌詞データを入力して、
歌詞データを所定のタイミングで同期して、少なくとも、カラオケ伴奏・ガイドメロディ
・歌詞表示・塗表示を含む専用仕様のカラオケコンテンツデータを作成することができる
アプリケーションプログラムを提供し、
利用者が汎用仕様のデータから、専用仕様のカラオケコンテンツを作成し、専用カラオケ
装置で再生することができるネットワークカラオケシステムである。
【００１０】
ここで、入力するカラオケメロディは、伴奏音と同期したＭＩＤＩデータの存在を前提
としている。しかし、ＭＩＤＩでメロディを記述することに抵抗の少ない人にとっても、
ＭＩＤＩデータと伴奏の音声データを同期させてコンテンツを作成することは難易度が高
いものである。
【課題を解決するための手段】
【００１１】
ところで、昨今のカラオケ装置には採点機能があり、これはマイクから入力された歌唱
者の音声のピッチを検出してカラオケ装置が楽曲データとして持っている楽譜のＭＩＤＩ
データと突合し、両者の音程の差を以て採点の基準としている。本発明はこの機能を使っ
て簡便に音声からの採譜を実現しカラオケ専用機での再生を前提としたカラオケ生成シス
テムを提供する。
【００１２】
そこで本発明の請求項１は、上記採点機能を利用して、
ＭＰ３に代表される所定の規格に準拠した伴奏の音声データと、
ＭＩＤＩコードに代表される所定の規格に準拠したコードで表現されたカラオケメロデ
ィの楽譜データと
テキストファイル等の所定の規格に準拠した形式の歌詞データを入力して、
歌詞データを所定のタイミングで同期して、少なくとも、カラオケ伴奏・ガイドメロディ
・歌詞表示・塗表示を含む専用仕様のカラオケコンテンツデータを作成することができる
アプリケーションプログラムを提供し、
利用者が汎用仕様のデータから、専用仕様のカラオケコンテンツを作成し、専用カラオケ
装置で再生することができるネットワークカラオケシステムにおいて、
専用カラオケ装置に
音声を入力する音声入力手段と、
入力された音声信号の音程を検出するピッチ検出手段と、
音程データを含む曲データを記憶する記憶手段とを備え、
伴奏の音声データと同期して歌唱された前記音声入力手段より入力された音声を前記ピッ
チ検出手段により音程を検出し、前記アプリケーションプログラムで読み込んだ際、伴奏の音声データと同期した状態で前記検出した音程データを保存し、
前記アプリケーションプログラムの素材として使用できる楽譜データとして利用者に提供できることを特徴とするカラオケシステムである。
【発明の効果】
【００１３】
本発明によれば、ＭＩＤＩデータがなくてもマイク入力により主旋律データを作成し、
簡便にカラオケ専用機で再生できるカラオケを制作することができる。
【図面の簡単な説明】
【００１４】
【図１】本発明で引用した特許文献１に係る処理の流れ
【図２】本発明に係る処理の流れ
【図３】本発明で引用した特許文献１に係るデータの流れ
【図４】本発明に係るデータの流れ
【発明を実施するための形態】
【００１５】
図１は、特許文献１の実施イメージである。ここでは、ＭＩＤＩ形式のメロディ楽譜デ
ータ１とテキスト形式の歌詞データ２と伴奏音声データ３をカラオケ生成ツール４に入力
することによりカラオケコンテンツ５を生成している。
【００１６】
本発明の実施イメージは、図２のように音声入力を変換手段７によりＭＩＤＩ形式に変
換し、同期演奏された伴奏データ３を合成する事により、カラオケデータ１０が生成され
る。さらに歌詞データ２をマージして、カラオケ演奏時に歌詞テロップを表示できるデー
タを含んだ業務用カラオケファイル５が生成される。
【００１７】
図３、図４はさらに具体的なデータの流れのイメージである。ここで各拡張子は下記の
意味とする。
.mp3：ＭＰ３ファイル、.mid：ＭＩＤＩファイル、.txt：テキストファイル
.skit：業務用カラオケファイル  伴奏データ・旋律データのＭＩＤＩデータ、歌詞デー
タ等を統合して特定メーカーのカラオケ専用機で再生できる形式にしたもの。
【００１８】
図３は、特許文献１のデータの流れである。元となる楽曲８を市販のＭＩＤＩ対応シー
ケンサアプリ６で、主旋律をＭＩＤＩで、伴奏系はＭＰ３で取り込む。これに歌詞データ
を付加・編集して、特許文献１で提案されたカラオケ生成ツール４に取り込み、テキスト
ファイルの歌詞データが追加された業務用カラオケファイル５（.skit）を作成する。
【００１９】
図４は、本発明のデータの流れである。元楽曲は特許文献１のカラオケ生成ツール４で
カラオケファイル９に変換される。これを再生する際、伴奏のＭＰ３ファイルと同期して
歌唱された主旋律の音声をマイク入力されることにより、ピッチ検出が行われ、マイク音
声から検出した主旋律データと伴奏ファイルが入ったカラオケファイル１０を作成するこ
とができる。これをカラオケ生成ツール４で取り込み、歌詞データを追加して業務用カラ
オケファイル５（.skit）を作成する。
【符号の説明】
【００２０】
１・・・・メロディ楽譜データ（ＭＩＤＩ形式）
２・・・・歌詞データ（テキスト形式）
３・・・・伴奏音声データ（ＭＰ３形式）
４・・・・カラオケ生成ツール
５・・・・カラオケコンテンツ（専用カラオケ形式（.skit））
６・・・・シーケンサーアプリケーション
７・・・・ピッチ検出手段
８・・・・伴奏データ
９・・・・伴奏mp3のみのカラオケファイル
１０・・・伴奏mp3と主旋律データの入ったカラオケファイル
【図１】
2019109324.tif 000003
【図２】
2019109324.tif 000004
【図３】
2019109324.tif 000005
【図４】
2019109324.tif 000006